(57)【要約】      （修正有）【課題】簡単かつ安価な構造でありながら斬新かつユニークで、豪華さや装飾性に富むグリーティングカードを提供する。【解決手段】奥行きのあるカード基材の前面部１ｃに、開口を有し所望形状に模られた装飾部１２．１３を設け、前面部の内面にはカード奥面を照らすライト３を配し、装飾部と対峙するカード奥面には前記ライドからの光の照射を受けるホログラムシートを配し、これにより打ち上げ花火のような動的情景を創成する。【選択図】図１
0003113921.tif 000002
【実用新案登録請求の範囲】
【請求項１】
奥行きのあるカード本体の前面部に、開口を有し所望形状に模られた装飾部を設け、前面部の内面にはカード奥面を照らすライトを配し、装飾部と対峙するカード奥面には、前記ライドからの光の照射を受けるホログラムシートを配していることを特徴とする光るグリーティングカード。
【請求項２】
ホログラムシートが無模様のプレーンなものである請求項１に記載の光るグリーティングカード。
【請求項３】
ライトは装飾面部の複数箇所に分散して配され、それぞれが装飾面部または他のカード基材部位に組み込んだモジュールに接続され、カード基材の適所に設けたスイッチの操作で順次点滅されるようになっている請求項１または２に記載の光るグリーティングカード。
【請求項４】
モジュールは、電池とリレー回路とメロディーＩＣおよびスピーカを備え、ライトの点滅と音楽が並行させられるように構成されている請求項３に記載の光るグリーティングカード。
【請求項５】
カード本体は折り畳み可能な箱状をなし、一部には立体化状態を保持するための蓋片を有している請求項１ないし４に記載の光るグリーティングカード。
【考案の詳細な説明】
【技術分野】
【０００１】
本考案は光るグリーティングカードに関する。
【背景技術】
【０００２】
クリスマス、年賀、暑中見舞いなどの時候の挨拶や、誕生、結婚、入学、卒業などの慶事などを祝す手段としてグリーティングカードが汎用されている。
【０００３】
かかるグリーティングカードは多種多様な形態のものがあり、そのひとつの形態として光を放つ形式のものがある。このタイプには、カードに暗部を設け背景をライトで照らしたり、光ファイバをめぐらせて光源からの光を光ファイバの先端から放射させたりするものがあった。
【０００４】
しかし、前者は単純でありきたりであるため、商品価値の点からインパクトが乏しく、カードの贈呈をうけた記憶が薄くなることを否めなかった。後者はそれなりの美しさと意外性があるが、細い光ファイバの束をサンドイッチ状に隠蔽することが必要であるため構造が複雑で、コストが高くなる問題があった。
【考案の開示】
【考案が解決しようとする課題】
【０００５】
本考案は前記のような問題点を解消するためになされたもので、その目的とするところは、簡単かつ安価な構造でありながら斬新かつユニークで、豪華さや装飾性に富むグリーティングカードを提供することにある。
【課題を解決するための手段】
【０００６】
上記目的を達成するため本考案は、奥行きのあるカード本体の前面部に、開口を有し所望形状に模られた装飾部を設け、前面部の内面にはカード奥面を照らすライトを配し、装飾部と対峙するカード奥面には、前記ライドからの光の照射を受けるホログラムシートを配していることを特徴としている。
【考案の効果】
【０００７】
本考案によるときには、ライトを点灯しない状態では奥面のホログラムシートに装飾面部の輪郭をした暗色の影が投影され、視認する角度を変えると、光の干渉作用により赤から青まで虹彩色の色調があらわれるので美麗である。
ライトを点灯(点滅を含む)させ、その光線がホログラムシートに垂直状に入射されると、ホログラムの回析作用と反射作用により光軸がずれて結像され、ライトの入射位置に対応するスポット状の光玉とこれを囲む位置の連続または不連続の光の玉あるいは線が現れるので、不可思議でファンタジックな情景が創成される。したがって、装飾効果、審美効果が高く、高級感のあるグリーティングカードとすることができる。
【考案を実施するための最良の形態】
【０００８】
ホログラムシートが無模様のプレーンなものである。
これによれば、ライトの光の照射により中心の光玉の周囲に４方向以上の放射状に走る線状ないし楕円状の光玉が映し出されるので、あたかも夜空に花火が上がって飛び散る光かのように視認され、祝意のテーマにマッチしたよりいっそうロマンチックで面白い情景を創成することができる。
【０００９】
ライトは装飾面部の複数箇所に分散して配され、それぞれが装飾面部または他のカード基材部位に組み込んだモジュールに接続され、カード基材の適所に設けたスイッチの操作で順次点滅されるようになっている。
これによれば、装飾面部の複数箇所に点在している各ライトが時間差をおいて点灯、消灯するので、前記スポット状の光玉とこれを囲むように走る複数の光玉がホログラムシートの各所で次々と現われる。  したがって夜空に花火が次々と打ち上げられる動的な情景が創成され、一層興趣を高くすることができる。しかも機械的に動く部品を用いずに済むので、構造の複雑大型化も回避でき、コストも安価にすることができる。
【００１０】
モジュールは、電池とリレー回路とメロディーＩＣおよびスピーカを備え、ライトの点滅と音楽が並行させられるように構成されている。
これによれば、音と光が組み合わされ、豪華で高級感のある、最高の雰囲気を作り出すことができる。
【００１１】
カード本体は折り畳み可能な箱状をなし、一部には立体化状態を保持するための蓋片を有している。
これによれば、封筒などに入れて送ることができ、使用時には箱状に立体化され、ライトとホログラムシートの好ましい距離を維持することができ、前記夜空に花火が次々と打ち上げられる動的な情景を効果的に発現可能となる。
【実施例１】
【００１２】
以下本考案の実施例を添付図面を参照して説明する。
図１ないし図５は本考案のグリーティングカードをクリスマスカードに適用した一実施例を示しており、１はカード本体(カード基材)であり、厚紙などの素材を切り抜き、折り曲げることによって、背面部１ａとこれの両側縁から立ち上がる側面部１ｂ、１ｂとこれの上端縁を結ぶ前面部１ｃを備えた比較的高さの低い箱状体に構成されている。
【００１３】
前記背面部１ａの少なくとも一方の端部には、図４と図５のように中間に折り曲げ線を有する蓋片１ｄが連設されており、蓋片１ｄを端部開口に挿入しない状態においては、カード本体１は側面部１ｂ、１ｂを倒すことにより偏平状態となり、蓋片１ｄを端部開口に挿入することにより立体箱状に形状保持されるようになっている。
【００１４】
前面部１ｃは暗所を画成するための所要幅のいわゆる額縁部を残存させて開口１０が形成されており、開口以外の面部分には、「Merry Christmas」などの標記１１が印刷的手法などで施され、かつ、開口部分には、もみの木、教会等の輪郭形状を連続的に模った装飾部１２が延出され、これと離間した部分には、天空上でトナカイに引かれたそりにサンタクロースが乗っている様子を表した他の装飾部１３が張り出されている。
背面部１ａには送り主名やメッセージを記入するための記載用部
１４が設けられている。
【００１５】
前記背面部１ａの内面すなわち前面部１ｃから見て奥面には、ホログラムシート２が接着剤などによって取り付けられている。ホログラムシートはポリエステルなどの合成樹脂シートの表面にホログラム加工を施したポリエステルなどの合成樹脂フイルムを貼り付けたものなど公知の各種のものを用いることができるが、表面に金属粉などを蒸着させたハーフミラー状などであってもよい。
この例では、ホログラムシート２は、無模様の平滑な状態を呈し、光の干渉作用により見る方向で赤から青まで虹彩色に色づいて見えるタイプのものが用いられている。
【００１６】
一方、前記装飾部１２，１３の内面には、ホログラムシート２と対向した所定位置、好適には張り出し先端領域に、複数個の小さなライトたとえばＬＥＤランプ３が所定の間隔をおいて取り付けられている。この例では装飾部１２の各もみの木の部分と協会の屋根部分で計４個が、他の装飾部１３の先端に近い部分に１個が配置されている。
ライト３はすべてが１つの色でもよいが、好適には２色以上たとえば、赤、緑、オレンジ、青に発光するものが用いられる。
【００１７】
前記各ライト３のそれぞれ導線３０は前面部１ｃの内面に沿わされ、前面部１ｃの延長部を内面に重なるように折り畳んで構成したモジュール取付け用部１ｅに導かれ、これの内部に貼着しているモジュール４に接続されている。
モジュール４は、プリント基板４０上に、数個の小型電池４ａと、これからの電力で作動し前記各ライト３を所定の順序で点滅させるリレーと曲の終わりで給電を立つタイマーなどを含むコントロールＩＣ４ｂと、所望の音声(たとえばクリスマスにちなんだ曲)を記録してありライトの点滅と同期作動して音声信号を出力するメロディーＩＣ４ｃを搭載しており、近傍には、メロディーＩＣ４ｃからの音声を拡大するスピーカ４ｄを配している。そして、前記前面部１ｃの任意の位置には、薄型押しボタン式などのスイッチ４ｅが配され、これの導線が前記プリント基板４０に接続されている。
【００１８】
前記ホログラムシート２はミラー作用を有するので、ライト３の導線３０が露出していると、その配線がホログラムシート２に投影されて視認されてしまうので体裁が悪くなる。そこで前記モジュール取付け用部１ｅには、導線３０を先端近くまで覆うように前面部１ｃの内面に接合した隠蔽用部１５が連設されている。
【００１９】
実施例の作用を説明すると、郵送などで送付されるときにはカード本体１は平たい状態にある。受け取った者がカードを楽しむときには、蓋片１ｄを折り曲げて開口に挿入する。こうすればカード本体１は箱状に剛性化し、図１のようになる。
この状態においては、図３と４のように、前面部１ｃとホログラムシート２との距離が隔たって空室が形成され、その空室は前面部１ｃの開口１０が限られた面積であることと蓋片１ｄで開口が閉じられていることにより暗い状態を呈している。
【００２０】
この状態で正面から開口１０内を眺めると、図６のように、装飾部１２の影この例ではもみの木、教会等が黒っぽい影Ｂとしてホログラムシート２に映り、しかも、看者の上方に照明光があるときには、その光が開口を透過してホログラムシート２に照射され、反射されるので、見る方向により三原色の美しい虹彩Ａが見える。
この状態でスイッチ４ｅを操作すると、電池４ａからの給電でメロディーＩＣ４ｃとスピーカ４ｄによって音声たとえばクリスマス音楽がカードから発せられ、これと同時に所定の順序でライト３が点滅する。
【００２１】
図７（ａ）（ｂ）（ｃ）はこのときの状態を示しており、この例ではまず、装飾部１２の教会の屋根にあるライト３-１が点灯して当該ライト３-１の光がホログラムシート２に照射されると、ホログラムシート２の回折・反射作用により、ライト３-１に対応する色の玉光Ｃと、これを囲む位置でやや長めの放射状に走る光Ｃ´が映し出され次の瞬間消え、ついで、もみの木のライト３-２が点灯・点滅してホログラムシート２に照射されることで、前記と異なる位置で玉光Ｃと、これを囲む位置でやや長めの放射状に走る光Ｃ´が映し出される。さらに、装飾部１３のライト３-３においても同様に玉光Ｃと、これを囲む位置でやや長めの放射状に走る光Ｃ´が映し出される。
したがって、クリスマスを祝す音楽とともに教会を含むいろいろなところで祝いの花火が打ち上げられる動的情景が創成され、ロマンチックなムードを感得することができる。
【００２２】
なお、ホログラムシート２としては種々のものを用いることができ、たとえば図８(ａ)のような梨地ないしこれに類する模様の付いたホログラムシート２を用いた場合には、ライト３に対応する色の玉光Ｃとこれを円環状に囲む光Ｃ´を発現できる。また、図８(ｂ)のように、円環放射状模様の付いたホログラムシート２を用いた場合には、ライト３に対応する色の玉光Ｃとこれを円環状に囲むぎざぎざ状光Ｃ´を発現できる。
また、ホログラムシート２はクリスマスベル、サンタクロース、ハート、キャラクターなど所望の図形や絵柄などの像を描出したものであってもよく、これによれば、見る角度によって見え隠れし、虹彩も変化し、かつ前記のような玉光Ｃとこれを囲む放射状または円環状の光Ｃ´の位置的変化を楽しむことができる。
【図面の簡単な説明】
【００２３】
【図１】本考案によるグリーティングカードの一実施例を示す斜視図である。
【図２】実施例の背面図である。
【図３】図１のＸ−Ｘ線に沿う断面図である。
【図４】図１のＹ−Ｙ線に沿う断面図である。
【図５】実施例のカード本体を展開して前面部を内側から見た正面図である。
【図６】ライトを点灯しない状態の正面図である。
【図７】(ａ)（ｂ）（ｃ）はライトを順次点滅させたときのホログラムの結像状態を示す正面図である。
【図８】(ａ)（ｂ）は他のホログラムを使用した場合の結像状態を示す正面図である。
【符号の説明】
【００２４】
１  カード本体
１ｃ  前面部
１ｄ  蓋片
２  ホログラムシート
３  ライト
４  モジュール
４ａ  電池
４ｂ  コントロールＩＣ
４ｃ  メロディーＩＣ
４ｄ  スピーカ
１２，１３  装飾部
Ｃ  光玉
Ｃ´  周りの光
【図１】
0003113921.tif 000003
【図２】
0003113921.tif 000004
【図３】
0003113921.tif 000005
【図４】
0003113921.tif 000006
【図５】
0003113921.tif 000007
【図６】
0003113921.tif 000008
【図７】
0003113921.tif 000009
【図８】
0003113921.tif 000010